【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
チューイングガム残滓の、基材からの除去を容易にするように、チューイングガム残滓を改変する方法であって、該残滓に、以下の式：
［Ｃａｔ］＋［Ｘ］−
［式中、［Ｃａｔ］＋はカチオン種であり、
［Ｘ］−はアニオン種である］
を有するイオン性液体を含むチューイングガム改変組成物を適用することを含む方法。
【請求項２】
［Ｃａｔ］＋が、アンモニウム、アザアンヌレニウム、アザチアゾリウム、ベンゾフラニウム、ボロリウム、ジアザビシクロデセニウム、ジアザビシクロノネニウム、ジアザビシクロウンデセニウム、ジチアゾリウム、フラニウム、イミダゾリウム、インドリニウム、インドリウム、モルホリニウム、オキサボロリウム、オキサホスホリウム、オキサジニウム、オキサゾリウム、イソ−オキサゾリウム、オキサチアゾリウム、ペンタゾリウム、ホスホリウム、ホスホニウム、フタラジニウム、ピペラジニウム、ピペリジニウム、ピラニウム、ピラジニウム、ピラゾリウム、ピリダジニウム、ピリジニウム、ピリミジニウム、ピロリジニウム、ピロリウム、キナゾリニウム、キノリニウム、イソ−キノリニウム、キノキサリニウム、セレナゾリウム、テトラゾリウム、イソ−チアジアゾリウム、チアジニウム、チアゾリウム、チオフェニウム、トリアザデセニウム、トリアゾリウム、およびイソ−トリアゾリウムからなる群から選択されるカチオン種である、請求項１に記載の方法。
【請求項３】
［Ｃａｔ］＋が、
［Ｎ（Ｒａ）（Ｒｂ）（Ｒｃ）（Ｒｄ）］＋および［Ｐ（Ｒａ）（Ｒｂ）（Ｒｃ）（Ｒｄ）］＋
［式中、Ｒａ、Ｒｂ、Ｒｃ、およびＲｄは、Ｃ１〜Ｃ１５直鎖もしくは分枝鎖のアルキル基、Ｃ１〜Ｃ１５、Ｃ３〜Ｃ８シクロアルキル基、またはＣ６〜Ｃ１０アリール基からそれぞれ独立して選択され、ここで、前記アルキル、シクロアルキルもしくはアリール基は、置換されていないか、またはＣ１〜Ｃ６アルコキシ、Ｃ２〜Ｃ１２アルコキシアルコキシ、Ｃ６〜Ｃ１０アリール、Ｃ２〜Ｃ１５直鎖または分枝鎖のアルケニル、−ＣＮ、−ＯＨ、−ＮＯ２、−ＣＯ２（Ｃ１〜Ｃ６）アルキル、−ＯＣ（Ｏ）（Ｃ１〜Ｃ６）アルキル、Ｃ７〜Ｃ３０アラルキルおよびＣ７〜Ｃ３０アルカリールから選択される１〜３個の基によって置換されていてよく、Ｒｂは水素であってもよい］
からなる群から選択されるカチオン種である、請求項２に記載の方法。
【請求項４】
［Ｃａｔ］＋が、
【化４−１】
2012501364.tif 000001
【化４−２】
2012501364.tif 000002
［式中、Ｒａ、Ｒｂ、Ｒｃ、Ｒｄ、Ｒｅ、Ｒｆ、ＲｇおよびＲｈは、水素、Ｃ１〜Ｃ２０直鎖もしくは分枝鎖のアルキル基、Ｃ３〜Ｃ８シクロアルキル基、またはＣ６〜Ｃ１０アリール基からそれぞれ独立して選択され、あるいは隣接する炭素原子に結合しているＲｂ、Ｒｃ、Ｒｄ、ＲｅおよびＲｆのうちのいずれか２個は、メチレン鎖−（ＣＨ２）ｑ−（式中、ｑは３〜６である）を形成してよく、ここで、前記アルキル、シクロアルキルもしくはアリール基、または前記メチレン鎖は、置換されていないか、あるいはＣ１〜Ｃ６アルコキシ、Ｃ２〜Ｃ１２アルコキシアルコキシ、Ｃ６〜Ｃ１０アリール、Ｃ２〜Ｃ１５直鎖または分枝鎖のアルケニル、−ＣＮ、−ＯＨ、−ＮＯ２、Ｃ７〜Ｃ１０アラルキルおよびＣ７〜Ｃ１０アルカリール、−ＣＯ２（Ｃ１〜Ｃ６）アルキル、−ＯＣ（Ｏ）（Ｃ１〜Ｃ６）アルキルから選択される１〜３個の基によって置換されていてよい］
からなる群から選択されるカチオン種である、請求項２に記載の方法。
【請求項５】
［Ｘ］−が、［Ｆ］−、［Ｃｌ］−、［Ｂｒ］−、［Ｉ］−、［ＮＯ３］−、［ＮＯ２］−、［ＢＦ４］−、［ＰＦ６］−、［ＳｂＦ６］−、［ＳＣＮ］−、［Ｈ２ＰＯ４］−、［ＨＰＯ４］２−、［ＰＯ４］３−  ［ＨＳＯ４］−、［ＳＯ４］２−、［ＣＨ３ＳＯ３］−、［Ｃ２Ｈ５ＳＯ３］−、［Ｃ８Ｈ１７ＳＯ３］−、［ＣＨ３（Ｃ６Ｈ４）ＳＯ３］−、［ドキュセート］−、［ＣＨ３ＯＳＯ３］−、［Ｃ２Ｈ５ＯＳＯ３］−、［Ｃ８Ｈ１７ＯＳＯ３］−、［Ｈ３Ｃ（ＯＣＨ２ＣＨ２）ｎＯＳＯ３］−（式中、ｎは、１〜１０の整数である）、［ＣＦ３ＣＯ２］−、［（ＣＦ３ＳＯ２）３Ｃ］−、［（ＣＦ３ＳＯ２）２Ｎ］−、［ＣＦ３ＳＯ３］−、［（ＣＦ３）２Ｎ］−、［（Ｃ２Ｆ５）３ＰＦ３］−、［（Ｃ３Ｆ７）３ＰＦ３］−、［（Ｃ２Ｆ５）２Ｐ（Ｏ）Ｏ］−、［（ＣＨ３）２ＰＯ４］−、［（ＣＨ３）２Ｐ（Ｏ）Ｏ］−、［｛（ＣＨ３）３ＣＣＨ２ＣＨ（ＣＨ３）ＣＨ２｝２Ｐ（Ｏ）Ｏ］−、［ＨＣＯ２］−、［ＣＨ３ＣＯ２］−、［ＣＨ３ＣＨ２ＣＯ２］−、［ＣＨ２（ＯＨ）ＣＯ２］−、［ＣＨ３ＣＨ（ＯＨ）ＣＯ２］−、［ＨＣＯ３］−、［ＣＯ３］２−、［ＣＨ３ＯＣＯ２］−、［Ｃ２Ｈ５ＯＣＯ２］−、［（ＣＮ）２Ｎ］−、［サッカリン］−、および［リノール酸塩］−からなる群から選択されるアニオン種である、請求項１〜４のいずれかに記載の方法。
【請求項６】
イオン性液体が、４０℃未満の融点を有する、請求項１〜５のいずれかに記載の方法。
【請求項７】
チューイングガム改変組成物が、１種または複数の酸化試薬をさらに含む、請求項１〜６のいずれかに記載の方法。
【請求項８】
酸化試薬が、酸化触媒および酸素源を含む、請求項７に記載の方法。
【請求項９】
酸化触媒が、ランタニド塩または遷移金属塩である、請求項８に記載の方法。
【請求項１０】
酸素源が、過酸化水素、過酸化水素放出化合物、ハロゲンオキシアニオンを有する塩、有機ヒドロペルオキシド、有機ペルオキシ酸、または有機ペルオキシ酸塩から選択される、請求項８または９に記載の方法。
【請求項１１】
チューイングガム改変組成物が、
（ｉ）ラッカーゼ、ペルオキシダーゼ、リグニナーゼおよびリポキシゲナーゼからなる群から選択される１種または複数の天然または改変酵素と；
（ｉｉ）１種または複数の酵素メディエータ化合物と
をさらに含む、請求項１から６のいずれかに記載の方法。
【請求項１２】
基材が、石、コンクリート、セメント、煉瓦、石こう、石こうボード、粘土、セラミック、ガラス、アスファルト、タールマック、ビチューメン、金属、木材、ワニス、ラッカーまたは布地を含む、請求項１〜１１のいずれかに記載の方法。
【請求項１３】
チューイングガム残滓を基材から除去する方法における使用のための部品のキットであって、
（ｉ）請求項１から６のいずれかに規定されるイオン性液体を含む第１の部品と；
（ｉｉ）請求項８または９に規定される酸化触媒を含み、第１の部品と場合により組み合わされる第２の部品と；
（ｉｉｉ）第３の部品としての、請求項８または１０に規定される酸素源と
を含むキット。
【請求項１４】
（ｉ）式［Ｃａｔ］＋［Ｘ］−を有するイオン性液体であって、ここで、［Ｃａｔ］＋は、請求項１から１４のいずれかに規定されるカチオン種であり、［Ｘ］−は、
［Ｆ］−、［Ｃｌ］−、［Ｉ］−、［ＮＯ３］−、［ＮＯ２］−、［ＳｂＦ６］−、［ＳＣＮ］−、［Ｈ２ＰＯ４］−、［ＨＰＯ４］２−、［ＰＯ４］３−  ［ＨＳＯ４］−、［ＳＯ４］２−、［ＣＨ３ＳＯ３］−、［Ｃ２Ｈ５ＳＯ３］−、［Ｃ８Ｈ１７ＳＯ３］−、［ＣＨ３（Ｃ６Ｈ４）ＳＯ３］−、［ドキュセート］−、［Ｃ８Ｈ１７ＯＳＯ３］−（式中、ｎは、１〜１０の整数である）、［ＣＦ３ＣＯ２］−、［（ＣＦ３ＳＯ２）３Ｃ］−、［（ＣＦ３ＳＯ２）２Ｎ］−、［ＣＦ３ＳＯ３］−、［（ＣＦ３）２Ｎ］−、［（Ｃ２Ｆ５）３ＰＦ３］−、［（Ｃ３Ｆ７）３ＰＦ３］−、［（Ｃ２Ｆ５）２Ｐ（Ｏ）Ｏ］−、［（ＣＨ３）２ＰＯ４］−、［（ＣＨ３）２Ｐ（Ｏ）Ｏ］−、［｛（ＣＨ３）３ＣＣＨ２ＣＨ（ＣＨ３）ＣＨ２｝２Ｐ（Ｏ）Ｏ］−、［ＨＣＯ２］−、［ＣＨ３ＣＯ２］−、［ＣＨ３ＣＨ２ＣＯ２］−、［ＣＨ２（ＯＨ）ＣＯ２］−、［ＣＨ３ＣＨ（ＯＨ）ＣＯ２］−、［ＨＣＯ３］−、［ＣＯ３］２−、［ＣＨ３ＯＣＯ２］−、［Ｃ２Ｈ５ＯＣＯ２］−、［サッカリン］−、および［リノール酸塩］−からなる群から選択される、イオン性液体と；
（ｉｉ）ラッカーゼ、ペルオキシダーゼ、リポキシゲナーゼおよびリグニナーゼからなる群から選択される１種または複数の天然または改変酵素と
を含む組成物。
【請求項１５】
請求項１から６のいずれかに規定されるイオン性液体の、チューイングガム残滓を基材から除去するための使用。